Podtech/llm-jp-corpus-v4-ja_patent huggingface dataset:
(57)【要約】【課題】照明器具を取り付ける照明器具取付装置において、ランプ交換時期を前記照明器具取付装置の下面に設けてある有色ＬＥＤ光源が点滅することで、照明器具に取り付けてあるランプの交換を報知するランプ交換時期を知らせる照明器具取付装置を提供する。【解決手段】天井１２に固着されているシ−リングロ−ゼット１３に引っ掛ける栓刃４を照明器具取付装置本体１の上面に設け、前記照明器具取付装置本体１の下面に有色ＬＥＤ光源６を設け、照明器具本体９のランプ交換時期を検知する信号が発信された時、前記照明器具取付装置本体１の下面に設けられている有色ＬＥＤ光源６がスポット的に照明器具本体９のセ−ドへ点滅照射しランプの交換を知らせる構造である。【選択図】図１
2008010380.tif 000002
【特許請求の範囲】
【請求項１】
天井に固着されているシ−リングロ−ゼットに引っ掛ける栓刃を照明器具取付装置本体の上面に有し、前記照明器具取付装置本体の下面に有色ＬＥＤ光源を設け、照明器具本体側のランプ交換時期を検知する信号が発信された時、前記照明器具取付装置の下面に設けれている有色ＬＥＤ光源が点滅し、照明器具本体のランプ交換時期を報知することを特徴とするランプ交換時期を知らせる照明器具取付装置。
【請求項２】
前記照明器具取付装置のランプ交換時期を検知する手段として、ランプ点灯時間のカウント、またはランプ交換時期における電圧降下を検知することを特徴とする請求項１記載のランプ交換時期を知らせる照明器具取付装置。
【発明の詳細な説明】
【技術分野】
【０００１】本発明は、照明器具を取り付ける照明器具取付装置において、ランプの交換時期に達した時、前記照明器具取付装置の下面に設けてあるＬＥＤ光源を点滅することでランプの交換時期を報知する照明器具取付装置に関する。
【背景技術】
【０００２】従来において、ランプの交換の見極めはランプ点滅及び不点灯によりランプ交換を行っていた。
【発明の開示】
【発明が解決しようとする課題】
【０００３】照明器具を取り付ける照明器具取付装置において、ランプ交換時期を前記照明器具取付装置の下面に設けてある有色ＬＥＤ光源が点滅することで、照明器具に取り付けてあるランプの交換を報知するランプ交換時期を知らせる照明器具取付装置を提供する。
【課題を解決するための手段】
【０００４】本発明のランプ交換時期を知らせる照明器具取付装置は、天井に固着されているシ−リングロ−ゼットに引っ掛ける栓刃を照明器具取付装置本体の上面に有し、前記照明器具取付装置本体の下面に有色ＬＥＤ光源を設け、照明器具本体側のランプ交換時期を検知する信号が発信された時、前記照明器具取付装置本体の下面に設けられている有色ＬＥＤ光源が点滅し、照明器具本体に取り付けられているランプの交換時期を報知することを特徴とする。【０００５】ランプ交換時期の検知回路は照明器具本体に設けてあり、ランプ点灯時間のカウント及びランプ交換時期における電圧降下を検知し、照明器具取付装置本体に設けてある有色ＬＥＤ光源へ信号を送る。さらに、照明器具本体への給電及びランプ交換時期における信号は照明器具取付装置から集束した接続コ−ドの末端に接続用のコネクタ−同士を接離自在に接続可能な構造とした。
また、ＬＥＤ光源点滅のリセットはランプを交換した時点で自動リセット、またはリセット釦を押すことで解除される。
【発明の効果】
【０００６】本発明によるランプ交換時期を知らせる照明器具取付装置によれば、ランプ交換時期に達した時に起こりうる消費電力の増加及びインバ−タ−回路への負担が軽減される。また、報知する手段として有色ＬＥＤ光源を点滅をさせることで聴覚障害者にも知らせることができるという効果がある。
【発明を実施するための最良の形態】
【０００７】以下、本発明の実施の形態を図面を参照して説明する。
図１は、本発明における照明器具取付装置本体１の下方向から見た斜視図である。照明器具取付装置本体１には、天井１２に固着されているシ−リングロ−ゼット１３に引っ掛ける一対の栓刃４ならびに照明器具本体９と着脱自在に係合する一対の係止爪２を出没自在に、且つ、突出方向に付勢して設けると共に、照明器具取付装置本体１の下面に有色ＬＥＤ光源６が設けてある。また、照明器具本体９への給電及びランプ交換時期における検知信号を受ける為の集束された接続コ−ド７及び前記接続コ−ド７の末端に照明器具本体９から配線された接続コ−ド末端の接続コネクタ−８ｂと接離自在に接続可能な接続コネクタ−８ａが設けられている。【０００８】図２は、本発明における照明器具取付装置本体１と天井１２に固着されているシ−リングロ−ゼット１３の下方向から見た斜視図である。天井１２に固着されているシ−リングロ−ゼット１３の栓刃挿入口１４に照明器具取付装置本体１の栓刃４を挿嵌し、前記照明器具取付装置本体１を取り付ける。また、取付後の外し方向への回動を阻止する図示しないロック爪及びロック釦５が設けれている。【０００９】図３は、本発明の実施形態に係わる分解斜視図である。
天井１２に固着されているシ−リングロ−ゼット１３に照明器具取付装置本体１を取り付けた後、照明器具本体９を照明器具取付装置本体１に設けられている係止爪２に係止させ、照明器具本体９から配線された接続コネクタ−８ｂと照明器具取付装置本体１から配線されている接続コネクタ−８ａを接続しセ−ド１１を照明器具本体９へ取り付ける。【００１０】図４は、本発明の実施形態に係わる取付状態を示す斜視図である。
ランプ交換時期において、有色ＬＥＤ光源６がスポット的にセ−ド１１の中央部へ点滅照射されされ、ランプの交換時期を知らせる。【００１１】以上により、本発明のランプ交換時期を知らせる照明器具取付装置本体１によれば、ランプ交換時期を事前に使用者へ知らせることで、ランプ交換末期における消費電力の増加及びインバ−タ−回路への負担が軽減される。また、報知手段として有色ＬＥＤ光源６を点滅させることで聴覚障害者にも確実に知らせることが可能である。
【図面の簡単な説明】
【００１２】
【図１】  本発明における照明器具取付装置本体の下方向から見た斜視図。
【図２】  本発明における照明器具取付装置本体と天井に固着するシ−リングロ−ゼットの下方向から見た斜視図。
【図３】  本発明の実施形態に係わる分解斜視図。
【図４】  本発明の実施形態に係わる取付状態を示す斜視図。
【符号の説明】
【００１３】  １    照明器具取付装置本体
２    係止爪
３    解除レバ−
４    栓刃
５    ロック釦
６    有色ＬＥＤ光源
７    接続コ−ド
８ａ  接続コネクタ−
８ｂ  接続コネクタ−
９    照明器具本体
１０    ランプ
１１    セ−ド
１２    天井
１３    シ−リングロ−ゼット
１４    栓刃挿入口
【図１】
2008010380.tif 000003
【図２】
2008010380.tif 000004
【図３】
2008010380.tif 000005
【図４】
2008010380.tif 000006
(57)【要約】      （修正有）【課題】トイレや化粧室の使用状況や緊急時の内部の状況を外部の側面からでも容易に視認することが出来る表示灯を提供する。【解決手段】化粧室ユニットの平板状の壁面２に形成された凹部３内に発光ダイオード（ＬＥＤ）等の光源４が設置してある。前記光源４と対面する凹部３の開口部５には、表面側中央に所定角度αの突出した導光板６を備えたレンズ７が取付けてある。前記導光板６を備えたレンズ７は、軽量，難燃性，かつ透明性を有するポリカーボネート等の樹脂材料で一体的に形成してあり、また導光板６は、２０度〜７０度、好ましくは３０度〜６０度の傾斜角度αで略三角形状にカットして構成してある。【選択図】  図２
2008010261.tif 000002
【特許請求の範囲】
【請求項１】
平板状の壁面に形成された凹部内に光源を設置し、この光源と対面する凹部の開口部に、表面側中央に所定角度の突出した導光板を備えたレンズを取付けたことを特徴とする表示灯。
【請求項２】
前記光源が、発光ダイオードである請求項１に記載の表示灯。
【請求項３】
前記導光板を備えたレンズが、軽量，難燃性，かつ透明性を有する樹脂材料で一体的に形成した請求項１または２に記載の表示灯。
【請求項４】
前記導光板を、２０度〜７０度の傾斜角度で略三角形状にカットした請求項１，２または３に記載の表示灯。
【請求項５】
前記導光板の高さを、レンズの平面部分から５ｍｍ〜１０ｍｍに設定した請求項１，２，３または４に記載の表示灯。
【発明の詳細な説明】
【技術分野】
【０００１】
この発明は、室内の状況を室外の多くの人に知らせることが出来る表示灯に係わり、更に詳しくは特に飛行機内に設置されたトイレや化粧室内の使用状況や、不慮の事故や急病等を室外の多くの人に認識させることが出来る表示灯に関するものである。            
【背景技術】
【０００２】
従来、車輛や飛行機のトイレや化粧室の扉や壁等には、使用状況や緊急時に内部の状況を外部の人に知らせるための自動点灯式の表示灯やスイッチ式の表示灯及びコールライトが取付けられている（例えば、特許文献１参照）。
【０００３】
このような表示灯は、扉や壁等に光源となるライトが埋設され、また扉や壁等の表面には、表面と面一か、または表面から１０ｍｍ前後の僅かに突出したレンズが取付けられ、使用状況や緊急時に内部の状況を外部の人に知らしめるようにしている。
【０００４】
然しながら、単なる平面状のレンズを扉や壁等の表面に取付けた場合には、光源が点灯しているか否かを外部から視認出来る範囲が非常に狭く、特に緊急時の表示灯やコールライトの場合には、側面からでは見落とす等の問題が発生していた。
【特許文献１】特開平８−７７８１５号公報
【発明の開示】
【発明が解決しようとする課題】
【０００５】
この発明はかかる従来の問題点に着目し、トイレや化粧室の使用状況や緊急時の内部の状況を外部の側面からでも容易に視認することが出来る表示灯を提供することを目的とするものである。
【課題を解決するための手段】
【０００６】
この発明は上記目的を達成するため、平板状の壁面に形成された凹部内に光源を設置し、この光源と対面する凹部の開口部に、表面側中央に所定角度の突出した導光板を備えたレンズを取付けたことを要旨とするものである。
【０００７】
ここで、前記光源が、発光ダイオードであり、また前記導光板を備えたレンズが、軽量，難燃性，かつ透明性を有する樹脂材料で一体的に形成し、更に前記導光板を、２０度〜７０度の傾斜角度で略三角形状にカットすると共に、導光板の高さを、レンズの平面部分から５ｍｍ〜１０ｍｍに設定するものである。
【０００８】
このように構成することで、扉の外部側面からでも使用状況や緊急時の内部の状況を外部に知らしめることが出来るものである。
【発明の効果】
【０００９】
この発明は、上記のように平板状の壁面に形成された凹部内に光源を設置し、この光源と対面する凹部の開口部に、表面側中央に所定角度の突出した導光板を備えたレンズを取付けたので、特に車輛や飛行機等に搭載される狭いスペースのトイレや化粧室の使用状況や緊急時の内部の状況を外部の側面からでも容易に視認することが出来、その対応も容易に行うことが出来る効果がある。
【００１０】
また、構成が簡単であり、安価に製造出来ると共に、光源として発光ダイオードを使用するので、耐久性があり、また明るい表示を行うことが可能である。
【発明を実施するための最良の形態】
【００１１】
以下、添付図面に基づき、この発明の実施形態を説明する。
図１は、この発明を実施した飛行機の化粧室ユニットの一部斜視図、図２は図１のＡ−Ａ矢視拡大断面図、図３は図２のＢ−Ｂ矢視側面図を示し、前記化粧室ユニット１の平板状の壁面２に形成された凹部３内に発光ダイオード（ＬＥＤ）等の光源４が設置してある。
【００１２】
前記光源４と対面する凹部３の開口部５には、表面側中央に所定角度αの突出した導光板６を備えたレンズ７が取付けてある。
【００１３】
前記導光板６を備えたレンズ７は、軽量，難燃性，かつ透明性を有するアクリル等の樹脂材料で一体的に形成してあり、また導光板６は、２０度〜７０度、好ましくは３０度〜６０度の傾斜角度αで略三角形状にカットして構成してある。このように、導光板６の傾斜角度αを２０度〜７０度の範囲にすることで、視認性と反射率を高めることが出来るものである。更に、導光板６の高さＨは、レンズ７の平面部分から５ｍｍ〜１０ｍｍに設定することが好ましく、このように高さＨを５ｍｍ〜１０ｍｍの範囲にすることで、視認性を良好にすることが出来る。
【００１４】
また、この実施形態では光源４として、発光ダイオードを使用しているが、これに限定されないが、発光ダイオードは消費電力及び寿命等において他の電球等の光源よりも有利である。
【００１５】
以上のように、この発明の実施形態では、平板状の壁面２に形成された凹部３内に光源４を設置し、この光源４と対面する凹部３の開口部５に、表面側中央に所定角度の突出した導光板６を備えたレンズ７を取付けたので、特に車輛や飛行機等に搭載される狭いスペースのトイレや化粧室の使用状況や緊急時の内部の状況を外部の側面からでも容易に視認することが出来、その対応も容易に行うことが出来る。また構成が簡単であり、安価に製造出来る。
【図面の簡単な説明】
【００１６】
【図１】この発明を実施した飛行機の化粧室ユニットの一部斜視図である。
【図２】図１のＡ−Ａ矢視拡大断面図である。
【図３】図２のＢ−Ｂ矢視側面図である。
【符号の説明】
【００１７】
１  化粧室ユニット              ２  壁面
３  凹部                        ４  光源
５  開口部                      ６  導光板
７  レンズ                      Ｈ  高さ
α  傾斜角度
【図１】
2008010261.tif 000003
【図２】
2008010261.tif 000004
【図３】
2008010261.tif 000005
(57)【要約】【課題】有機金属気相成長法により作成する放射線検出器において、放射線吸収層とするｐ型CdTe厚膜層のイオン化不純物密度を低減することを提供する。【解決手段】放射線検出部とするｐ型厚膜CdTe層（100〜500mm）の形成を、成長温度400℃以上で微量のn型不純物を導入しながら成長する。【選択図】図1
2008010536.tif 000002
【特許請求の範囲】
【請求項１】
有機金属気相成長法によるCdTe厚膜成長層を用いた半導体放射線検出器において、放射線検出部とするｐ型厚膜CdTe層（100〜500mm）の形成を、成長温度400℃以上で微量のn型不純物を導入しながら成長することを特徴とする半導体放射線検出器。
【請求項２】
前記n型不純物の導入は、微量の第３属または第７属元素を含むn型の不純物原料の導入により行うことを特徴とする請求項１記載の半導体放射線検出器。
【請求項３】
請求項１記載のｐ型厚膜CdTe層の不純物密度が、1013cm-3以下であることを特徴とする請求項１又は２記載の半導体放射線検出器。
【発明の詳細な説明】
【技術分野】
【０００１】
本発明は半導体放射線検出器に関する。
【背景技術】
【０００２】
従来，特許文献１の半導体放射線検出器が開示されている。この半導体放射線検出器は、Ｓ ｉ あるいはＧ ａ Ａ ｓ 基板と、該基板の表面上に有機金属気相成長法により積層形成されたＣ ｄＴ ｅ あるいはＣ ｄ Ｚ ｎ Ｔ ｅ 成長層とを備え、該成長層が入射放射線に対する能動層となることを特徴としている。
【特許文献１】特開２００５−１５９１５６
【発明の開示】
【発明が解決しようとする課題】
【０００３】
しかし、上記従来の特許文献１の半導体放射線検出器では、ｐ型CdTe厚膜成長は不純物導入を行わず形成しており、その場合ｐ型層のキャリア密度は意図的には制御していなかったが、1014〜1013cm-3程度であった。
半導体放射線検出器では検出特性を向上するためには、放射線吸収層とするｐ型厚膜CdTe層に電界をかける必要があるが、これまではpn接合に逆バイアスを加え、空乏層をｐ型CdTe層に広げることにより電界を加えていた。
【０００４】
ｐ型厚膜CdTe層全体を空乏化するために必要な逆バイアス電圧は、ｐ型層中のイオン化不純物密度（イオン化したアクセプタ密度とドナー密度の差）に依存し、仮に厚さを100 mmとし、不純物密度を1014cm-3とした場合ｐ型層全体（100 mm）を空乏化するためには約860Vが必要である。
さらに厚いCdTe層を空乏化するにはさらに高電圧が必要である。
【０００５】
半導体放射線検出器実用化では必要なバイアス電圧は可能な限り低い方が望ましく、そのためにはｐ型層のイオン化不純物密度をさらに低減する必要がある。
【０００６】
本発明は、上記実情に鑑みてなされたものであって有機金属気相成長法により作成する放射線検出器において、放射線吸収層とするｐ型CdTe厚膜層のイオン化不純物密度を低減することを解決すべき課題としている。
【課題を解決するための手段】
【０００７】
本発明の半導体放射線検出器は、有機金属気相成長法によるCdTe厚膜成長層を用いた半導体放射線検出器において、放射線検出部とするｐ型厚膜CdTe層（100〜500mm）の形成を、成長温度400℃以上で微量のn型不純物を導入しながら成長することを特徴とする。
また、本発明ではｐ型CdTe層形成を400℃以上の成長温度で実施すると共に、その際微量の第３属または第７属元素を含むn型の不純物原料を導入することを特徴とする。
【０００８】
本発明の有機金属気相成長法によるｐ型厚膜CdTe層の成長では、400℃以上の成長温度においては、導入したｎ型不純物は活性化せず、自己補償効果により成長層の実効的なイオン化不純物密度を低減できる。
この場合、導入したn型不純物はCdTe層中にCd空孔を発生させ、このCd空孔とｎ型不純物が複合欠陥を形成するため、実効的なイオン化不純物密度が減少するのである。またCdTeは不純物添加を行わない場合ｐ型の伝導性をもつため、この条件下での不純物添加では低キャリア密度の成長層（高抵抗層）となるがｐ型の性質を保ち、放射線検出に対しては支障とならない。一方、成長温度400℃以下では導入したn型不純物はCdTe層中にCd空孔を発生させる割合が少ないため、CdTe層はｎ型伝導を示すようになる。
【０００９】
本発明によれば放射線吸収層とするｐ型CdTe厚膜層の不純物密度を1013cm-3以下に低減すことが可能となり、放射線検出層を空乏化するために必要なバイアス電圧を大幅に低減することができる。
【００１０】
不純物密度1013cm-3の場合、100 mmを空乏化するために必要な電圧は８６Vである。
【発明を実施するための最良の形態】
【００１１】
以下、本発明を具体化した一実施例について図面を参照しつつ説明する。
【実施例１】
【００１２】
半導体放射線検出器は、図１、2に示すように、有機金属気相成長法によるCdTe放射線検出器の作成において、Si及びGaAs等のn型低抵抗基板上に、n型不純物添加によりn型CdTeバッファ層を形成した後、ｐ型厚膜CdTe層を成長する。この場合n型層はヨウ素等の不純物を添加し400℃以下の温度で成長を行うが、本発明ではその後成長するｐ型厚膜CdTe層の成長を400℃以上の温度とし、引き続きn型不純物を添加しながら成長を行う。
【産業上の利用可能性】
【００１３】
本発明の半導体放射線検出器は、医療用放射線診断装置、工業用Ｘ 線検査装置、理学用Ｘ 線解析装置等に利用可能である。
【図面の簡単な説明】
【００１４】
【図１】実施例１のCdTe放射線検出器の作成の説明図（斜視図）である。
【図２】実施例１のCdTe放射線検出器の作成の説明図（断面図）である。
【図１】
2008010536.tif 000003
【図２】
2008010536.tif 000004
(57)【要約】【課題】モータのトルク定数が、温度変化等の環境変化により変動した場合において、明快な構成で精度よくトルク定数変動率を同定する同定方法を提供する【解決手段】モータの角度信号を用いて算出した加速度信号とモータの電流指令もしくは電流から導出される推定加速度の最大値もしくは最小値の比を計算することで、トルク定数変動率を同定する。【選択図】図１
2008220019.tif 000002
【特許請求の範囲】
【請求項１】
モータのトルク定数変動率を、モータ角度信号を用いて算出した加速度信号と電流指令もしくは電流信号から導出した推定加速度信号の最大値、または最小値の比から同定することを特徴とするトルク定数変動率の同定方式。
【請求項２】
前記加速度信号を算出するモータ角度信号から加速度信号までの伝達関数が非プロパーである場合、前記伝達関数がプロパーとなるローパスフィルタを前記伝達関数に加えて導出した加速度信号と前記推定加速度信号に前記ローパスフィルタを通過させた信号の比からトルク定数変動率を同定することを特徴とするトルク定数変動率の同定方式。
【発明の詳細な説明】
【技術分野】
【０００１】
本発明はモータのトルク定数変動率の同定方法に関する。
【背景技術】
【０００２】
従来、モータを用いたサーボ制御装置では、制御対象が制御仕様を満たすために、制御対象の各種パラメータを同定し制御系を構築している。しかし、モータのトルク定数は、温度等の環境変化により変動するものであり、このトルク定数の変動は、制御性能を著しく劣化させる要因となる。この問題に対して、特許文献１では、逐次最小２乗法を用いることで制御対象の各種パラメータを同定しているが、計算負荷が高く実用的でない場合がある。
【特許文献１】特開２００６−２１７７２９
【発明の開示】
【発明が解決しようとする課題】
【０００３】
モータ制御において、温度等の環境変化に伴うトルク定数変動は、制御性能を著しく劣化させる場合があり、精度よく同定する技術が必須である。
【０００４】
しかし、上記従来技術では、同定方式の実装において計算負荷が高く、実用的でない場合がある。本発明は、上記従来の実情に鑑みてなされたものであって、明快な構成で精度良くトルク定数の変動率を同定する同定方法を提供することを目的とする。
【課題を解決するための手段】
【０００５】
第１発明のトルク定数変動率の同定方法は、モータの角度信号を用いて算出した加速度信号とモータの電流指令もしくは電流から導出される推定加速度の最大値もしくは最小値の比を計算することでトルク定数変動率を同定することを特徴とする。
【０００６】
第２発明のトルク定数変動率の同定方法は、前記加速度信号を算出する角度信号から加速度信号までの伝達関数が非プロパーである場合、前記伝達関数がプロパーとなる次数のローパスフィルタを挿入することで、角度信号から加速度信号を計算可能とし、これに対応して電流指令もしくは電流信号から導出される推定加速度に、前記ローパスフィルタを通過させ、これら信号の最大値もしくは最小値の比を計算することでトルク定数変動率を同定することを特徴とする。
【発明を実施するための最良の形態】
【０００７】
以下に本発明の具体的な実施例を説明する。
【０００８】
電流i(s)からモータの角度信号y(s)までの伝達関数P(s)が数式１であるとする。
【０００９】
【数１】
2008220019.tif 000003
【００１０】
ここで、ktはトルク定数、Jは慣性モーメント、Dは粘性摩擦係数、ζkは減衰係数、ωkは共振角周波数、Kkはゲインである。
角度信号から電流までの伝達関数P(s)-1は、相対次数が２次の非プロパーな伝達関数であるため、ローパスフィルタQ(s)を数式２とする。
【００１１】
【数２】
2008220019.tif 000004
【００１２】
ここで、ωlはQ(s)のカットオフ角周波数である。
以上より、トルク定数変動率αの同定機構の概略図は図１で示される。ここで、α＾：推定トルク定数変動率、αa：推定加速度信号、αb：加速度信号である。
また、トルク定数が３％減少した場合(α=0.97)、位置決め時におけるαa、αbのシミュレーション波形を図２に示す。なお、Q(s)、P(s)-1は、実装面を考慮して双一次変換によりz変換した。
図２より、青線であるαaと赤線であるαbは、波高値に違いが生じており、この波高値の比がトルク定数の変動率と見なすことが出来る。数式３にαa、αbの波高値の比を示す。
【００１３】
【数３】
2008220019.tif 000005
【００１４】
ここで、αamax、αbmaxは、αa、αbの最大値である。
数式３より、本発明による手法は、シミュレーションで仮定したトルク定数の変動率を精度良く同定しており、その有効性が示される。
【００１５】
以上において、本発明を実施例に即して説明したが、本発明は上記実施例に制限されるものではなく、その趣旨を逸脱しない範囲で適宜変更して適用できることはいうまでもない。
【産業上の利用可能性】
【００１６】
本発明であるモータのトルク定数変動率の同定方法は、種々のモータ制御装置に利用可能である。
【図面の簡単な説明】
【００１７】
【図１】モータのトルク定数変動率の同定方法のブロック線図である。
【図２】トルク定数が変動した場合の図１中のαa、αbの波形である。
【図１】
2008220019.tif 000006
【図２】
2008220019.tif 000007
(57)【要約】      （修正有）【課題】力の入れ加減によって弱すぎたり強すぎたりすることなく、一定の力で目の周りのツボを優しく押圧できる安全且つ効果的なツボ押し具を提供する。【解決手段】目の周りのくぼみ部分に適宜載せられる形状であり、その中核部分は一定の重みを有する素材で構成され、その周囲を生体に有為な物質で被覆する構成とする。その形態は正円の球体、半円形、楕円形状等とし、中核部１を構成する素材はステンレス鋼で、ソリッド状又は重量調整のため中空状にしてもよい。【選択図】図３
2008220895.tif 000002
【特許請求の範囲】
【請求項１】
目の周りのくぼみ部分に載せて、物体の自重によって眼の回りのツボを押圧することを特徴とするツボ押し具。
【発明の詳細な説明】
【技術分野】
【０００１】本発明は、目の周りのツボを押圧するツボ押し具に関するものである。
【背景技術】
【０００２】目や頭が疲れると、気づかないうちに目頭と鼻の付け根の間を押さえていたり、目の周りは私達にとって最も身近なツボが集まっている部位である。【０００３】しかし、力の入れ加減が難しく、弱すぎても効果が無く、強く押しすぎると目の周りは特にデリケートであるため逆にトラブルを生じる場合がある。【０００４】いろいろなツボ押し具が市販されているが、主に肩や首筋、手のひら、足の裏を押圧するものがほとんどで、目の周りのツボを押圧するための適当なツボ押し具は見当たらない。
【発明の開示】
【発明が解決しようとする課題】
【０００５】本発明の技術的課題は、前述の問題を解決するため、力の入れ加減によって弱すぎたり強すぎたりすることなく、一定の力で目の周りのツボを優しく押圧できる安全且つ効果的なツボ押し具を提供することである。
【課題を解決するための手段】
【０００６】前記課題を解決するため本発明は、目の周りのくぼみ部分に載せて、物体の自重により一定の力で眼の回りのツボを押圧する安全且つ効果的なツボ押し具とする。
【発明の効果】
【０００７】上述のように構成したツボ押し具は、目の周りのくぼみ部分に載せることで、物体の自重によって一定の力で眼の回りのツボを押圧するため、弱すぎて効果が無かったり、強く押しすぎてトラブルを生じたりすることがない。
【発明を実施するための最良の実施の形態】
【０００８】本発明は、目の周りのくぼみ部分に適宜載せられる形状であり、その中核部分は一定の重みを有する素材で構成され、その周囲を生体に有為な物質で被覆する構成とする。
【実施例】
【０００９】本発明の実施の形態を図１〜図３に基づいて説明する。図１は本発明品の実施形態の正面図であり、図２は側面図である。実施例は楕円形状であるが、正円の球体でも、半円形でも、それ以外の形状でもよく、要は目の周りのくぼみ部分に適宜載せられる形状であって、肌に接する部位は、突起がないことや鋭角部がないことが望ましい。【００１０】図２は本発明品の拡大断面図であり、中核部１を構成する素材はステンレス鋼で、ソリッド状又は重量調整のため中空状にする場合もある。重量によって押圧の強さが決められるからである。素材は天然鉱石等でも、他の金属や合金、合成樹脂などで有害物質を含まない素材であればよい。【００１１】被覆部下層２は純金メッキで構成される。金は歯科医が金歯に使用するように人体に全く無害な物質であり、またステンレス鋼の冷たさを視覚的に解消する意味もあって使用している。健康用品には心理面での癒し効果も重要である。【００１２】被覆部表層３は高純度ゲルマニウムのコーティング層で構成される。高純度ゲルマニウムは人体と接触し、３２°Ｃを超えるとマイナス電子の自由電子が外に飛び出し、生体電子の乱れを整えて、電位バランスの正常化を計り、生体電流の活性化、血行促進、体調不良の改善を促す。【００１３】以上のように構成されることでツボ押し効果をより高めることができる。
【図面の簡単な説明】
【図１】本発明品の正面図
【図２】本発明品の側面図
【図３】本発明品のＡ−Ａ線拡大断面図
【符号の説明】
１  中核部
２  被覆部下層
３  被覆部表層
【図１】
2008220895.tif 000003
【図２】
2008220895.tif 000004
【図３】
2008220895.tif 000005
(57)【要約】      （修正有）【課題】ファスナーにより取り外し可能な襟カバー付き掛け布団カバー。【解決手段】顔や首筋にあたる襟元が特に汚れてくるが、着脱の容易な襟カバーを設けることにより、襟カバーをこまめに洗濯でき、襟元をいつも清潔にできる。掛け布団カバー１の上部の表面及び裏面に取り外し可能なファスナーの片側２を取付け、襟カバーの両端にもう片方のファスナーを取付けることにより取り外し可能な襟カバー付き掛け布団カバーを特徴とする。【選択図】図１
2008220897.tif 000002
【特許請求の範囲】
【請求項１】
掛け布団カバー（１）の上部の表面及び裏面に取り外し可能なファスナーの片側（２）を取付け、襟カバー（３）の両端にもう片方のファスナー（４）を取付けた着脱可能な襟カバー付き掛け布団カバー。
【発明の詳細な説明】
【技術分野】
【０００１】  この発明は、ファスナーにより着脱可能な襟カバーを設けた掛け布団カバーに関するものである。
【背景技術】
【０００２】  掛け布団カバーは襟元が特に汚れる。
【発明の開示】
【発明が解決しようとする課題】
【０００３】  掛け布団カバーは使っていると顔や首筋にあたる襟元が特に汚れてくるが、布団カバーは大きいためこまめに洗濯することができない。
【課題を解決するための手段】
【０００４】  掛け布団カバー（１）の上部の表面及び裏面に取り外し可能なファスナーの片側（２）を取付け、襟カバー（３）の両端にもう片方のファスナー（４）を取付ける。
【発明の効果】
【０００５】  着脱の容易な襟カバーを設けることにより、襟カバーをこまめに洗濯でき、襟元をいつも清潔にできる。
【発明を実施するための最良の形態】
【０００６】  以下、本発明を実施するための最良の形態について説明する。
掛け布団カバー（１）の上部の表面及び裏面に切り返しを設け、ファスナーの片側（２）を取付けておく。
襟カバー（３）の両端にもう片方のファスナー（４）を取付けておく。
本発明は、以上のような構造である。
使用時は、襟カバーの片側のファスナーを掛け布団の表面のファスナーに結合する。掛け布団カバー裏面も同様に結合する。
【図面の簡単な説明】
【０００７】
【図１】  本発明の正面図である。
【図２】  本発明の分解斜視図である。
【符号の説明】
【０００８】  １  掛け布団
２  ファスナー（片方）
３  襟カバーファスナー
４  ファスナー（２のもう片方）
【図１】
2008220897.tif 000003
【図２】
2008220897.tif 000004
(57)【要約】【課題】  難しいとされているアプローチショットやバンカーショットを簡単に打てるように、ヘッドを重くしたアプローチ用短尺ゴルフクラブを提供する。【解決手段】  ヘッド重量を３１５ｇ以上と重く形成して、短尺としたシャフトの端にグリップを設け、長いクラブと同様なバランスにしたことを特徴とする、アプローチ用短尺ゴルフクラブ。【選択図】図１
2008220891.tif 000002
【特許請求の範囲】
【請求項１】
ヘッド重量を３１５ｇ以上と重く形成して、短尺としたシャフトの端にグリップを設け、長いクラブと同様なバランスにしたことを特徴とする、アプローチ用短尺ゴルフクラブ。
【発明の詳細な説明】
【技術分野】
【０００１】  この発明は、難しいとされているアプローチショットやバンカーショットを簡単に打つことが出来るように、ヘッドを重くしたアプローチ用短尺ゴルフクラブに関するものである。
【背景技術】
【０００２】  従来のアプローチ用ゴルフクラブは、長さが３５インチ、身長が１７５ｃｍ以上の人に合わせた長さである。ヘッド重量は３００ｇ前後でバランスを合わせ、ライ角度も６３度前後になっている。また、先行技術として、ゴルフクラブのシャフト部の重量を２．２ｇ／インチとしたものが知られている（特許文献１）。
【特許文献１】  特開平１１−０７０１９６
【発明の開示】
【発明が解決しようとする課題】
【０００３】    そのために次のような問題点があった。
（イ）身長が１７５ｃｍ以下の人は、３５インチは長いのでアプローチショットは、クラブを短く持って使う為、ヘッドバランスが軽くなってしまい、ボールに衝撃を与えられず、よけいな力を必要として、コントロールを悪くする原因があった。
（ロ）クラブを短く握ると、ボールに近く構えるようになるので、ライ角度がフラットになり、フエースが開くので力のない打球となり、飛距離のコントロールが難しかった。
本発明は、以上のような問題点を解決する為になされたものである。
【課題を解決するための手段】
【０００４】  ヘッド重量を３１５ｇ以上と重く形成して、短尺としたシャフトの端にグリップを設け、長いクラブと同様なバランスとしたことを特徴とする、アプローチ用短尺ゴルフクラブである。
【発明の効果】
【０００５】  １．常にグリップ一杯に持って打てるので、テークバックの大きさで飛距離のコントロールがしやすくなる。
２．ヘッド重量が重いので、軽く打っても飛距離が出せる。
３．ボールに近くアドレスできるので縦振りとなり、方向性が良くなり、スピンが効く。
４．ヘッドが重いので、ラフからでもバンカーからでも楽に出せる。
５．シャフトが短いので、高い球、低い球が打てる。
６．シャフトが短いが、長いクラブと同様な飛距離が出せる。
【発明を実施するための最良の形態】
【０００６】  以下、本発明の実施の形態について説明する。
（イ）３１５ｇ以上と重くしたヘッド（１）に、３１．５〜３４インチと短くしたシャフト（２）を設ける。
（ロ）シャフト（２）の端にグリップ（３）を装着する。
本発明は、以上のような構造でこれを使用するときは、フルショットからショートアプローチ迄、常にグリップ一杯に握って使用する。短く持つ必要はない。ライ角度もアップライトになっているのでボールに近く構えられる。ヘッドが重いので、力を必要とせず軽く打つことが出来る。
【図面の簡単な説明】
【０００７】
【図１】本発明の斜視図
【図２】本発明の使用状態を示す斜視図
【符号の説明】
【０００８】  １．ヘッド
２．シャフト
３．グリップ
４．ライ角度
５．手
【図１】
2008220891.tif 000003
【図２】
2008220891.tif 000004
(57)【要約】      （修正有）【課題】椅子に座っている高齢者又は障害者を今座っている椅子に座ったまま、椅子ごと移動できる移動機具を提供する。【解決手段】略長方形状の椅子乗せ台１の一端に支板２を設け、支板の背部にハンドル３を設け、支板の下方に挿入自在の前脚部と後脚部を設け、後下部脚部４ｂの上部に後上部脚部５ｂと前上部脚部の高さを調節する高さ調節レバーを７設け、前下部脚部の下部に前基軸８ａ、後下部脚部の下部に後基軸８ｂをそれぞれ垂直に設け、前基軸の両端の下部と後基軸の両端の下部にタイヤ９を設け、後基軸に踏み込み式のブレーキ１０、前基軸の左右に足載せ台１１を設け、高齢者又は障害者を椅子に座ったまま移動するための介護用移動カート。【選択図】図２
2008220893.tif 000002
【特許請求の範囲】
【請求項１】
略長方形状の椅子乗せ台の一端に支板を設け、支板の背部にハンドルを設け、支板の下方に挿入自在の前脚部と後脚部を設け、後下部脚部の上部に後上部脚部と前上部脚部の高さを調節する高さ調節レバーを設け、前下部脚部の下部に前基軸、後下部脚部の下部に後基軸をそれぞれ垂直設け、前基軸の両端の下部と後基軸の両端の下部にタイヤを設け、後基軸に踏み込み式のブレーキ、前基軸の左右に足載せ台を設け、高齢者又は障害者を椅子に座ったまま移動するための介護用移動カート。
【発明の詳細な説明】
【技術分野】
【０００１】  本発明は椅子に座っている高齢者や障害者を車椅子に乗り換えたり、立ち上がったりすることなく、その椅子に座ったまま移動する介護用移動カートに関するものである。
【背景技術】
【０００２】  従来、歩行不安定な高齢者や障害者が移動するときは、一度椅子から立ち上がり、車椅子に移乗した後移動、又は手引き歩行にて移動していた。
なお、座席部位と車輪をつける台車部位を分離して座席分離式車椅子が知られている（特許文献１）
【特許文献１】特開２００２−２９１８０７号公報
【発明が解決しようとする課題】
【０００３】  そのために、次のような問題点があった。
（イ）高齢者施設等で大勢の利用者を移動させる際時間がかかり、さらに多くの車椅子が必要であった。
（ロ）歩行不安定な高齢者や障害者は移動するたび車椅子に移乗したり、立ち上がったりする苦痛があった。
（ハ）歩行不安定な高齢者や障害者の車椅子への移乗、歩行介助は介護者にとって負担になっていた。
【課題を解決するための手段】
【０００４】  略長方形状の椅子乗せ台の一端に支板を設け、支板の背部にハンドルを設け、支板の下方に挿入自在の前脚部と後脚部を設け、後下部脚部の上部に後上部脚部と前上部脚部の高さを調節する高さ調節レバーを設け、前下部脚部の下部に前基軸、後下部脚部の下部に後基軸をそれぞれ垂直に設け、前基軸の両端の下部と後基軸の両端の下部にタイヤを設け、後基軸に踏み込み式のブレーキ、前基軸の左右に足載せ台を設け、高齢者又は障害者を椅子に座ったまま移動するための介護用移動カート。
【発明の効果】
【０００５】  高齢者施設等で大勢の利用者の座席を移動する際素早く移動できる。椅子に座ったまま移動できるので、車椅子に移乗や手引き歩行をするわずらわしさを解消でき、移乗の際の皮下出血や歩行の際の転倒といったリスクを軽減できる。また被介護者の脚力が低下しているときもすぐに車椅子での生活をせず椅子を使用した生活を続け、身体機能の低下を遅らせる。
【発明を実施するための最良の形態】
【０００６】  以下、本発明の実施の形態を説明する。
（イ）略長方形状の椅子乗せ台（１）の一端に支板（２）を垂直に設ける。
（ロ）支板（２）の背部にカートを押すためのハンドル（３）を設ける。
（ハ）脚部は前脚部と後脚部からなる。前脚部は前下部脚部（４ａ）と挿入自在の前上部脚部（５ａ）からなり、同様に後脚部は後下部脚部（４ｂ）と挿入自在の後上部脚部（５ｂ）からなる。
（ニ）前上部脚部（５ａ）の上部と後上部脚部（５ｂ）の上部に上部連結軸（６）を設ける。
（ホ）後下部脚部（４ｂ）の上部に後上部脚部（５ｂ）と前上部脚部（５ａ）の高さを調節する高さ調節レバー（７）を設ける
（ヘ）前下部脚部（４ａ）の下部に前基軸（８ａ）、後下部脚部（４ｂ）の下部に後基軸（８ｂ）をそれぞれ垂直に設ける。
（ト）前基軸（８ａ）の中央部と後基軸（８ｂ）の中央部に中央連結基軸（８ｃ）を設ける。
（チ）前基軸（８ａ）の両端の下部と後基軸（８ｂ）の両端の下部にタイヤ（９）を設ける。
（リ）後基軸（８ｂ）の中央部に踏み込み式のブレーキ（１０）を設ける。
（ヌ）前基軸（８ａ）の左右に足載せ台（１１）を設ける。
本発明は以上のような構造で、これを使用するときは、高齢者又は障害者が座っている椅子（１２）の下に本発明を挿入する。安全のためブレーキ（１０）をかける。高さ調整レバー（７）を操作し、後上部脚部（５ｂ）と前上部脚部（５ａ）を上げ、椅子乗せ台（１）の高さを上げる。座っている高齢者又は障害者と座っている椅子（１２）を、椅子乗せ台（１）の上に乗せ持ち上げる。次に高齢者又は障害者の足を足載せ台（１１）に乗せる。ブレーキ（１０）を解除し、介助者がハンドル（３）を押し車椅子のように進む。移動後は安全のためブレーキ（１０）をかける。足載せ台（１１）から高齢者又は障害者の足を下ろし高さ調整レバー（７）を操作し、後上部脚部（５ｂ）と前上部脚部（５ａ）を下げ、椅子乗せ台（１）の高さを下げる。椅子乗せ台（１）が離れたら本発明を高齢者又は障害者が座っている椅子から抜き取る。
【図面の簡単な説明】
【０００７】
【図１】本発明の前方から見た斜視図
【図２】本発明の後方から見た斜視図
【図３】本発明の要部斜視図
【図４】本発明の使用状態を示す側面図
【図５】本発明の使用状態を示す側面図
【符号の説明】
【０００８】  １    椅子乗せ台
２    支板
３    ハンドル
４ａ  前下部脚部
４ｂ  後下部脚部
５ａ  前上部脚部
５ｂ  後上部脚部
６    上部連結軸
７    高さ調整レバー
８ａ  前基軸
８ｂ  後基軸
８ｃ  中央連結基軸
９    タイヤ
１０  ブレーキ
１１  足載せ台
１２  高齢者又は障害者が座っている椅子
【図１】
2008220893.tif 000003
【図２】
2008220893.tif 000004
【図３】
2008220893.tif 000005
【図４】
2008220893.tif 000006
【図５】
2008220893.tif 000007
(57)【要約】【課題】  より安全により生地を傷めることなく衣類に名札などを取り付けることができる安全名札ピンを提供する。【解決手段】  本体内部に極小の針とバネを、本体の外部には針を収納させる穴と服地を挿入させるための凹部を設けることによりスライド式で衣類に名札などを装着できる安全名札ピン。【選択図】図１
2008220888.tif 000002
【特許請求の範囲】
【請求項１】
本体の内部に極小の針とバネを、本体の外部には針を収納させる穴と服地を挿入させるための凹部を設けることによりスライド式で衣類に名札などを装着できる安全名札ピン。
【発明の詳細な説明】
【技術分野】
【０００１】  本発明は、針を内部に納めた構造に小さなばねの反発力を利用し、その力を用いて子供や女性でも安全に衣類を痛めることなく名札などを取り付けることができる安全名札ピンに関するものである。
【背景技術】
【０００２】  従来、コードストッパーと呼ばれる物はあったが服に名札を止める目的のものではない。
また、安全ピンはあったが針が外部に露出していた。
【発明の開示】
【発明が解決しようとする課題】
【０００３】  そのために、次のような問題があった。
（イ）安全ピンは小さい子供に扱わせるには危険があった。
（ロ）針が大きく、衣類を傷めることが多々あった。
（ハ）子供が扱うことに危険性があった。
（ニ）取り付けが容易でなかった。
本発明は、これらの問題点を解決するためになされたものである。
【課題を解決するための手段】
【０００４】  本体の内部の片側に極小の針を設け、本体の外部に針を収納させる穴を設ける。
本体の外部に服地を入れるための凹部を設ける。
本体の内部にバネを設け、その反発力により針が本体の外部に設けた穴に収納されるようにする。
以上を特徴とする安全名札ピンである。
【発明の効果】
【０００５】  針の径を細くし内部に収納することにより極めて安全に、また服地を傷めることがなく使用することができる。
【発明を実施するための最良の形態】
【０００６】  以下、本発明の実施の形態について説明する。
（イ）本体の内部（２）が本体の外部（１）に入るように本体の外部（１）を空中に設計      する。
（ロ）本体の内部（２）に針を設ける。
（ハ）本体の外部（１）にバネ（４）を設ける。
（ニ）本体の外部（１）に針（５）を収納する穴（６）を設ける。
（ホ）本体の外部（１）に服地を入れる凹部（３）を設ける。
（ヘ）本体の外部（１）に既存の名札の安全ピンを使えるよう通し穴（７）を設ける。
本発明は以上のような構成で、これを使用するときは、本体の外部（１）の片側側面と本体の内部（２）を人差し指と親指で圧縮させることによりバネ（４）を縮まし本体の内部（２）に装着された針（５）が露出する。
これにより本体の内部（２）に装着された針（５）が凹部（３）の現れ服地を入れることができるようになる。
通し穴（７）は既存の安全ピン付名札をそのまま使用ができるようにするために安全ピンを通せる通し穴（７）を設けた。
【図面の簡単な説明】
【０００７】
【図１】本発明の斜視図
【図２】本発明の一部を切り欠いた側面図
【図３】本発明の一部を解説した説明図
【図４】本発明の内部の説明図
【符号の説明】
【０００８】１  本体の外部
２  本体の内部
３  本体の凹部
４  バネ
５  針
６  針を収納する穴
７  通し穴
【図１】
2008220888.tif 000003
【図２】
2008220888.tif 000004
【図３】
2008220888.tif 000005
【図４】
2008220888.tif 000006
(57)【要約】【課題】ブーツの代わりにパンプスと本発明品を用いてブーツに見立てて使用しても、使用後、本発明品を取り外せば、パンプス等となることから、ブーツのようにお手入れをしなくても衛生面でのトラブルを引き起こしにくい。又ブーツでの出入りを禁止している場所に向かう際、ブーツの場合は到着時、手持ちのパンプス等に履き替える必要があるため手荷物が、かさばってしまうが、パンプス等と本発明品でブーツスタイルをきめた場合は、本発明品を取り外せば、パンプス等になるため、手荷物を抑えることができ、手軽にブーツスタイルを楽しめることができる。【解決手段】構造上、ブーツはパンプス等に比べ通気性に欠けるため、パンプス等と本発明品を組み合わる方法でブーツに見立て、ブーツを履いているように見せることを可能にし、手軽にブーツスタイルを楽しめるよう考案した。本発明は  パンプス等を履いている状態の足の足首に巻きつけるように装着しチャックで止める構造である。【選択図】図３
2008220889.tif 000002
【特許請求の範囲】
【請求項１】
構造上、ブーツはパンプス等に比べ通気性に欠けるため、パンプス等と本発明を組み合わる方法でブーツを履いているように見せ、本発明品を取り外したら、パンプス等になることを利点とし、手軽にブーツスタイルを楽しめことを可能にするものである。
本発明品はパンプス等を履いている状態の足に本発明品を足首に巻きつけるように装着しチャックで止める構造である。
【請求項２】
ブーツの胴筒の高さを自由に調整できるよう、胴筒を横に切断し２点セットでロングブーツに見立てるセパレートタイプも視野に入れる。
【発明の詳細な説明】
【技術分野】
【０００１】  本発明は、靴をはいた足首からふくろはぎにかけて本発明品をとりつけるとブーツに早替りするものである。
【背景技術】
【０００２】  ブーツは通気性が悪くムレや雑菌の増殖により水虫にかかりやすい。しかし履く人は多く、社内でブーツを禁止している職場に通う人でも通勤時はブーツを着用するケースもよく見られる光景である。しかしその場合は会社に着いたら職場で履く靴を別に用意する必要があり、手持ちの荷物がかさばる結果となっている。
【発明の開示】
【発明が解決しようとする課題】
【０００３】  ブーツは通気性が悪いので、熱や湿気の逃げ場がないため高温多湿で雑菌が増殖しやすい。そのためブーツを履くならば、ブーツのお手入れやフットケアは衛生上怠れない。もっと手軽におしゃれ（ブーツを楽しむこと）ができないだろうかということと、職場によってはブーツを履いてはいけない所もあるため、ブーツの好きな人は通勤時、ブーツ姿で出社するものの、会社に着いたら持参のパンプス等に履き替えなければならず、ブーツを履くがために手荷物がかさばり、手軽にブーツ姿というわけにはいかない。これまでブーツを楽しむためには、多かれ少なかれ気合を必要としていたが、もっと手軽にブーツ姿を楽しめないだろうかを検証した。
本発明は、以上の２点を解消することに的を置き解決手段を導いた。
【課題を解決するための手段】
【０００４】  構造上、ブーツはパンプス等に比べ通気性に欠けるため、パンプス等と本発明品を組み合わる方法でブーツに見立て、ブーツを履いているように見せることを可能にし、手軽にブーツスタイルを楽しめるよう考案した。
本発明は、パンプス等を履いた足に本発明品を足首からに巻きつけるように装着し、チャックで止める構造である。
【発明の効果】
【０００５】  ブーツの代わりにパンプスと本発明品を用いてブーツに見立てて使用しても、使用後、本発明品を取り外したら、パンプス等に戻ることから、ブーツのようにお手入れをしなくても衛生面でのトラブルを引き起こしにくい。又ブーツでの出入りを禁止している場所に向かう時でも、現地までは、本発明品を装着すればブーツ姿になれ、到着時は本発明品を取り外せばパンプス等になるため履き替えようの靴（パンプス等）を用意することもなく、気軽にブーツスタイルを楽しめることが可能である。
【発明を実施するための最良の形態】
【０００６】  以下、本発明の形態を説明する。（※生産工程ではない）
（イ）シンプルなブーツを用意し、ブーツの甲革とヒールカウンターの部分にかけてパンプス等の形状に沿って線をつける。つけた線を目印にし、胴筒からきりはなすように切断する。
（ロ）パンプス等（正確にはパンプス等ではなく形状がパンプス等）を切り離した、胴筒と切り取られた残りの甲革で一体化した物（革）をサンプル見本として、別の革で再度同じ形状のもの（コピー）を用意する。このとき用意するコピーは、切り口に加工を施すため、切り口をサンプル見本より５ｍｍ程長くしたものを用意する。
（ハ）用意した、コピーの切り口を、サンプル見本で、調整しながら、切り口を縫い合わせる。縫い合わせる際、革の種類によっては切り口の形状を保てるよう、ワイヤーを入れる。
（ニ）加工を施した切り口より少し上の部分から一回り、革幅（約２，５ｃｍ〜３ｃｍで取り囲み実際パンプス等を履いて本発明品を装着したとき、ブーツに見えるよう接続箇所に目立たぬよう同色の革を取り付ける。
（ホ）装着しやすいよう胴筒の上部から切り取られた残りの甲革にかけてジッパーを取り付ける。
本発明は以上の構成よりなる。
【図面の簡単な説明】
【０００７】
【図１】本発明の斜視図
【図２】本発明の要部拡大の斜視図
【図３】本発明の要部拡大の側面図
【符号の説明】
【０００８】  （１）ワイヤー、（２）革、（３）ジッパー
【図１】
2008220889.tif 000003
【図２】
2008220889.tif 000004
【図３】
2008220889.tif 000005